(57)【特許請求の範囲】
【請求項１】
玉葱（８）の根（８１）を上方に向けて搬送する搬送経路の上方に配設する根切断装置（４）であって、切断刃（５０）を有する切断ヘッド（４ａ）を、該搬送装置の上方において、支持アームを介して上下方向に揺動可能に支持し、前記揺動可能な切断ヘッド（４ａ）を付勢ばね（４３）により下方へ付勢し、該切断刃（５０）の切断駆動軸（４５ａ）を玉葱の搬送方向と直交する左右方向に、回動自在に軸支し、前記切断駆動軸（４５ａ）に対して直交して固設した取付板（４６ｂ）の外周部の左右両側に、前記切断刃（５０）を配設したことを特徴とする玉葱調整機。
【請求項２】
請求項１記載の玉葱調整機において、前記切断刃（５０）を、前記切断駆動軸（４５ａ）に対して外方に傾けて装着したことを特徴とする玉葱調整機。
【請求項３】
請求項１記載の玉葱調整機において、前記切断刃（５０）の近傍に、玉葱の外周面に沿う倣い板（４７ａ・４７ｂ）を設けたことを特徴とする玉葱調整機。
【請求項４】
請求項３記載の玉葱調整機において、前記切断刃（５０）と倣い板（４７ａ・４７ｂ）が、前記切断駆動軸（４５ａ）の外周上において交互に位置するよう配設したことを特徴とする玉葱調整機。
【請求項５】
請求項１記載の玉葱調整機において、前記根切断装置（４）の該切断ヘッド（４ａ）の中央に切断刃（５０）を配置し、その両側に玉葱（８）上の根（８１）の両側を転動するガイドローラ（５１・５１）を設けたことを特徴とする玉葱調整機。
【発明の詳細な説明】
【０００１】
【発明の属する技術分野】
本発明は、玉葱を圃場から掘り取った後に、玉葱を出荷できる状態にすべく上部の茎と下部の根を切断する調整機の技術に関するものである。
【０００２】
【従来の技術】
従来より、圃場で玉葱収穫機により収穫するときに、搬送途中にディスクカッターを配置して、茎の部分を切断する技術が公知になっており、収穫後には出荷できるように玉葱の上部の茎と根を手作業により切断していた。
【０００３】
【発明が解決しようとする課題】
しかし、前記従来技術においては、収穫時の切断では出荷する前にもう一度玉葱の下部の根を切断する必要があり、根の部分は手作業で切断を行うか、若しくは根をつけたままの出荷を行っていた。そして手作業での切断作業は、非常に面倒で、時間を要する為、出荷のコスト高につながっていた。そこで本発明は出荷できる玉葱に調整する装置を提供しようとするものである。
【０００４】
【課題を解決するための手段】
以上が本発明の解決する課題であり、次に課題を解決するための手段を説明する。
【０００５】
請求項１においては、玉葱（８）の根（８１）を上方に向けて搬送する搬送経路の上方に配設する根切断装置（４）であって、切断刃（５０）を有する切断ヘッド（４ａ）を、該搬送装置の上方において、支持アームを介して上下方向に揺動可能に支持し、前記揺動可能な切断ヘッド（４ａ）を付勢ばね（４３）により下方へ付勢し、該切断刃（５０）の切断駆動軸（４５ａ）を玉葱の搬送方向と直交する左右方向に、回動自在に軸支し、前記切断駆動軸（４５ａ）に対して直交して固設した取付板（４６ｂ）の外周部の左右両側に、前記切断刃（５０）を配設したものである。
【０００６】
請求項２においては、請求項１記載の玉葱調整機において、前記切断刃（５０）を、前記切断駆動軸（４５ａ）に対して外方に傾けて装着したものである。
【０００７】
請求項３においては、請求項１記載の玉葱調整機において、前記切断刃（５０）の近傍に玉葱の外周面に沿う倣い板（４７ａ・４７ｂ）を設けたものである。
【０００８】
請求項４においては、請求項３記載の玉葱調整機において、前記切断刃（５０）と倣い板（４７ａ・４７ｂ）が、前記切断駆動軸（４５ａ）の外周上において交互に位置するよう配設したものである。
【０００９】
請求項５においては、請求項１記載の玉葱調整機において、根切断装置（４）の該切断ヘッド（４ａ）の中央に切断刃（５０）を配置し、その両側に玉葱（８）上の根（８１）の両側を転動するガイドローラ（５１・５１）を設けたものである。
【００１０】
【発明の実施の形態】
次に本発明の実施の形態を添付の図面を用いて説明する。
【００１１】
図１は本発明の玉葱調整機の左側面図、図２は同じく正面図、図３は同じく平面図、図４は同じく背面断面図、図５は根切断部の左側面拡大図である。
【００１２】
図６は根切断装置を後方から見た断面図、図７は根切断装置の主要部の左側面図、図８は茎切断部を後方から見た断面図、図９は根切断装置の別実施例側面図、図１０は同じく正面図である。
【００１３】
まず、全体構成について図１より説明する。本発明の玉葱調整機１は、設置台１０上に立設した複数の支柱１２・１２・・・により左右略平行の機台１１・１１を前後方向（図１における左右方向）に支持し、機台１１・１１間は、該玉葱調整機１の前方（図１における左側）において補強フレーム１３を横架している。
【００１４】
そして該機台１１・１１上には、前側の整列搬送装置１６と後側の挟持搬送装置１７等からなる搬送部２が配設されており、該挟持搬送装置１７の上方には、玉葱８の根８１を切断する根切断装置４と、玉葱８の茎８２を切断する茎切断装置６等とから構成される切断部３を配し、その後部に選別装置１８を配置している。
【００１５】
次に前記整列搬送装置１６の構成について図１乃至図３より説明する。左右の機台１１・１１には補強フレーム１３の後部において、下方にそれぞれ取付ステー２５ｃ・２５ｄが吊着されており、該取付ステー２５ｃ・２５ｄにより前部支持プレート２５を懸吊している。該前部支持プレート２５は正面視で略台形状をしており、その左右の一側（本実施例においては正面視で図２における右側）において搬送駆動手段として搬送モータ２２を支持固定している。そして該前部支持プレート２５の上部中央には左右一対の支持部材２５ａ・２５ｂが装着されており、該支持部材２５ａ・２５ｂは、前部支持プレート２５の上方に突出して、それぞれ搬送ブラシ２０の回転軸２０ａ・２０ｂの前部を軸支している。
【００１６】
前記支持部材２５ａ・２５ｂに軸支されたブラシ回転軸２０ａ・２０ｂは、機台１１・１１上で、図３で示すように玉葱調整機１の前方から後方にかけて前後方向に略平行に配置されて、その他端は機台１１・１１の後部において横架された後部支持プレート２６にそれぞれ軸支されている。そして、図２で示すように該ブラシ回転軸２０ａ・２０ｂの前方側の一端は、前記支持部材２５ａ・２５ｂを貫通して突出し、その端部にはそれぞれ入力プーリ２１ａ・２１ｂが固設されている。また、前記搬送モータ２２の出力軸が前部支持プレート２５の前面より突出され、その端部に出力プーリ２２ａを固設している。また、機台１１上にはテンションプーリ２３ａが回転自在に軸支されており、入力プーリ２１ａ・２１ｂ、出力プーリ２２ａ、テンションプーリ２３ａには無端帯であるベルト２４が巻回されている。
【００１７】
このような構成で、搬送モータ２２の回転駆動力が、出力プーリ２２ａを介して、入力プーリ２１ａを図２における矢視Ｘ方向に回転駆動させ、入力プーリ２１ｂを図２における矢視Ｙ方向に回転駆動させることにより、ブラシ回転軸２０ａ・２０ｂがそれぞれ互いに逆方向に回転駆動するようにしている。また、搬送ブラシ２０・２０はブラシ回転軸２０ａ・２０ｂを中心にそれぞれ螺旋状に毛体が突出され、左右の搬送ブラシ２０・２０の巻方向は互いに逆巻となるようにしている。そして、正面視において左右の搬送ブラシ２０・２０の外周端が近接して配置され、該搬送ブラシ２０・２０を回転駆動することによって、毛体と毛体の間に玉葱の茎部が入り、その状態で後方へ搬送するようにしている。
【００１８】
また、搬送部２の前方側には搬送ブラシ２０・２０の左右両側に側方ガイドフレーム１４・１４が装着されている。側方ガイドフレーム１４・１４は機台１１上に立設された支柱１４ａ・１４ａにより平面視略Ｕ字状のフレーム１４ｂを支持しており、フレーム１４ｂ・１４ｂは搬送部２上で前後方向に長く配設され、その高さは搬送ブラシ２０・２０上を搬送される玉葱８が搬送ブラシ２０・２０上から側方へ落下しないように適度な高さに調整可能として、玉葱８が搬送ブラシ２０・２０の間上を後方へ搬送されるようにガイドしている。
【００１９】
そして、平面視で略Ｕ字状の前方ガイドフレーム１５が搬送部２の前端に前後方向に配設され、前方位置を高くして後方に向けて下降するよう傾斜させ、その前端はホッパー１９に接続され、その後端は左右両側のフレーム１４ｂ・１４ｂに固接し、側方ガイドフレーム１４・１４とあわせて、玉葱８をホッパー１９から供給して安定して搬送可能としている。
【００２０】
また、前記搬送部２の前後方向で略中央上方位置には、反転機構２８が配設されている。該反転機構２８は略円筒形状で、前記搬送ブラシ２０・２０の上方に左右方向に横架されており、図視せぬモータ等より駆動力を得て図１における矢視Ｚ方向に回転駆動する。該反転機構２８の外周は弾性体で構成され、例えば、ゴム、スポンジ等の摩擦抵抗が大きく玉葱を傷つけない柔らかい部材や表面をブラシ状に加工して適度な摩擦抵抗力を得られるように構成されている。また、反転機構２８の上下高さは調整可能として、玉葱の種類に合わせられるようにしている。
【００２１】
以上の如く構成された搬送部２において、搬送部２前方のホッパー１９から作業者が玉葱８を搬送ブラシ２０・２０上に置くと、その玉葱８は前記前方ガイドフレーム１５及び側方ガイドフレーム１４により進行方向を規制されながらガイドされて、左右搬送ブラシ２０・２０の間上を搬送される。このとき、前述の如く搬送ブラシ２０は、ブラシ回転軸２０ａ・２０ｂ上に螺旋状に装着されているので、玉葱８は該搬送ブラシ２０・２０の螺旋状に巻かれたブラシの溝上に位置し、順次後方に向けて搬送されるのである。
【００２２】
そして、後方にむけて搬送されている玉葱８は、前記反転機構２８の下方を通過するが、この時、該反転機構２８の上下高さを玉葱８の上下高さよりもやや低く調整して、反転機構２８の外周部分が玉葱の外周に接触することで、玉葱８は該反転機構２８の図１における矢視Ｚ方向の回転により摩擦力を受けて反転機構２８とは逆方向に回転する。該反転機構２８により茎８２が下方に向くように回転される。そして、両搬送ブラシ２０・２０はその近接面において上方から下方に向かうように回転しているので、玉葱８の茎８２は搬送ブラシ２０・２０の回転で下方へ引っ張られ、玉葱８は下方を向いた状態のまま後方に搬送されていくのである。
【００２３】
次に切断部３の構成について図３より説明する。切断部３は前記搬送部２の後方に位置し、玉葱８を左右から挟持して搬送する挟持搬送装置１７と、その下方の茎切断装置６と、上方の根切断装置４より構成されている。挟持搬送装置１７は、切断部３の前方側において左右の機台１１・１１に、ローラ台３２ａ・３２ａが、切断部３の後方側において左右の機台１１・１１にローラ台３２ｂ・３２ｂが装着されており、該ローラ台３２ａ・３２ａ上にそれぞれベルト搬送ローラ３１ａ・３１ｂ・３１ｃを、該ローラ台３２ｂ・３２ｂ上にそれぞれベルト搬送ローラ３１ｄ・３１ｅ・３１ｆを、それぞれその支持軸を垂直方向に向けて回転自在に軸支している。
【００２４】
そして、左右の搬送ローラ３１ａ・３１ｂ・３１ｃ・３１ｄ・３１ｅ・３１ｆにそれぞれ挟持ベルト３０・３０を巻回し、前記内側の搬送ローラ３１ｂ・３１ｂ・３１ｅ・３１ｅはアームを介してバネ３９・３９・・・によって内側（搬送面側）に回動するように付勢され、両挟持ベルト３０・３０によって玉葱の大小にかかわらず挟持して搬送できるようにしている。該挟持ベルト３０は平面視において玉葱調整機１の前後方向に長い略楕円形上となるよう巻回されて、左右の挟持ベルト３０・３０を対称に対向配置させ、その間隔を玉葱８の幅よりも狭くすることにより、玉葱を挟み込んで搬送し、切断するときに玉葱８が振れて切断位置がズレないようにしている。
【００２５】
このように構成された挟持ベルト３０・３０は図示せぬモータにより互いに逆方向に駆動されて、前記搬送ローラの周囲を３１ａ・３１ｂ・３１ｅ・３１ｆ・３１ｄ・３１ｃの順に、つまり図１における矢視α・α’方向に回転する。ここで該挟持ベルト３０は、前記搬送ローラ３１ａ・３１ｂ・３１ｃ・３１ｄ・３１ｅ・３１ｆに外接する平ベルト部３０ａと該平ベルト部３０ａの外周に固着されたクッション部３０ｂより形成されており、該クッション部３０ｂはゴムやスポンジ等の弾性部材等で構成され、外周に複数の切り込みが設けられ、平ベルト部３０ａとの接合面とは反対側の側面に略円弧状の凹部３０ｃを形成しており、該凹部３０ｃにおいて搬送されてくる玉葱８を両側から確実に挟み込むようにしている。
【００２６】
また、該クッション部３０ｂは、切り込みを設けず外周側の円周を長くするように構成し、連続面となる外周側に凹部３０ｃを形成すれば、同様の効果が得られる。また、前記凹部３０ｃの形状は円弧状に限定されるものではなく、その他の形状であっても、窪み形状により玉葱８を挟み込めるように構成すればよい。但し、挟持ベルト３０・３０による搬送速度は搬送ブラシ２０・２０による搬送速度よりも相対的に速くしており、搬送ブラシ２０・２０後端部で詰まることなく、速く排出できるようにしている。
【００２７】
次に本発明の根切断装置４の構成について図４乃至図７を用いて説明する。根切断装置４は前記挟持ベルト３０・３０の前後方向で略中央位置の上方に配設されている。図４及び図５で示すように切断部３の機台１１・１１上には正面視で略逆Ｕ字状の支持フレーム４０が立設されており、該支持フレーム４０の上辺４０Ｕが切断部３の上方で左右方向に略水平に横架され、該上辺４０Ｕの中央付近にはブラケット４１が固設されている。そして、該ブラケット４１の下方から支持アーム４２を係合させ、ピン４１ａを挿嵌し、該支持アーム４２をピン４１ａを中心にして上下方向に回動自在に支持している。
【００２８】
また、前記ブラケット４１の上部にステー４１ｂが取付けられ、該ステー４１ｂにネジロッド４１ｃが挿入されてナットを螺装し、該ナットでステー４１ｂを挟んで固定するようにし、該ネジロッド４１ｃの前端に係止孔を設けて弾性体として付勢ばね４３の一端を係止している。一方、前記支持アーム４２の前端部にばね係止孔４２ａが設けられ、該ばね係止孔４２ａに前記付勢ばね４３の他端が係止されている。このようにして根切断装置４の後部に設ける切断ヘッド４ａが支持アーム４２を介して揺動可能に支持され、付勢ばね４３によって切断ヘッド４ａが玉葱８の上部に当接するように付勢している。そして、前記ナットを回動することによってネジロッド４１ｃが移動し、付勢ばね４３の付勢力を調整して、玉葱８に当接する圧力を調節したり、切断ヘッド４ａを交換したときに付勢力を調節できるようにしている。
【００２９】
前記支持アーム４２の後部に設けられる切断ヘッド４ａは、切断部カバー４５内に収納されており、該切断部カバー４５の前面が前記支持アーム４２の後端に固設され、該切断部カバー４５は正面視及び側面視の断面が略コ字形状に構成され、その開放部４５ｃを下方に向けている。そして、図６に示すように切断部カバー４５の側板４５ｄ・４５ｄの下部に設けられたボス部４５ｅ・４５ｅに切断駆動軸４５ａが左右方向に回動自在に軸支され、該切断駆動軸４５ａの一端は側板４５ｄの外方に突出し、切断駆動入力プーリ４５ｂを固設している。一方、前記支持アーム４２の前部の側面には駆動手段としてモータ４４が固設され、該モータ４４の駆動軸４４ａに出力プーリ４４ｂを固設し、モータ４４の駆動力を出力プーリ４４ａ、ベルト、切断駆動入力プーリ４５ｂを介して伝達し、切断駆動軸４５ａを駆動するよう構成している。
【００３０】
そして、前記切断部カバー４５の内の切断駆動軸４５ａ上には、切断刃取付ディスク４６が固設されている。該切断刃取付ディスク４６は、ボス部４６ａと取付板４６ｂより構成され、該ボス部４６ａを切断駆動軸４５ａに挿嵌して固着し、該取付板４６ｂの左右側面には倣い板４７ａ・４７ｂを装着し、それぞれボルト４８ａ・４８ａ、ボルト４８ｂ・４８ｂで固定している。該倣い板４７ａは図７で示すように、円板の外周の一部を切り欠いて形成したものであり、本実施例では位相を１８０度ずらした２箇所に略Ｌ字状のカット部４７ｃ・４７ｃを設け、倣い板４７ｂも同じく円板の外周にカット部４７ｄ・４７ｄを設けた形状として、左右の倣い板４７ａ・４７ｂのカット部４７ｃ・４７ｃ・４７ｄ・４７ｄが側面視で重ならないようずらしている。即ち、倣い板４７ａ・４７ｂの取付位置の位相を９０度ずらすようにしている。
【００３１】
また、前記取付板４６ｂは側面視で略八角形状で倣い板４７ａ・４７ｂの外径よりも小さく構成しており、これらを重ねたときに、カット部４７ｃ・４７ｃ・４７ｄ・４７ｄから突出部分を刃取付部４６ｃ・４６ｃとし、該刃取付部４６ｃ・４６ｃの側面に取付座４９・４９が固設されている。該取付座４９・４９は刃取付部部４６ｃの側面に対して直角よりもやや大きい角度で外方に傾けて固着され、該取付座４９・４９に切断刃５０・５０を装着している。また、同様にして倣い板４７ｂ側の側面においても、側面視で倣い板４７ｂとは重ならない刃取付部４６ｄ・４６ｄに取付座４９・４９、切断刃５０・５０を装着している。
【００３２】
このように、側面視において４つの切断刃５０・５０・５０・５０が切断刃取付ディスク４６上の外周に等間隔に配置するように構成し、正面視で切断刃５０・５０・５０・５０の回転軌跡はＶ状となるようにし、そのＶの角度は玉葱８の外周に略接する角度としている。但し、本実施例では切断刃を片側二枚としているが、三枚以上配置することも可能であり、枚数を限定するものではない。
【００３３】
そして図４で示すように、倣い板４７ａ・４７ｂ、切断刃５０・５０・・・を両側から挟むようにして左右一対のガイドローラ５１・５１が切断部カバー４５のボス部４５ｅ・４５ｅ上に遊嵌され、玉葱８の上面に当接するようにしている。（図６においては、ガイドローラ５１・５１を図示していない。）
【００３４】
このような構成において、玉葱８が挟持ベルト３０・３０により挟持されて搬送されてくると、左右一対のガイドローラ５１・５１が玉葱８の根８１の両側の外周に当接して、切断ヘッド４ａは上方に押し上げられるが、前記付勢ばね４３の弾性力により下方にむけて押して浮き上がらないようにし、前記ガイドローラ５１・５１及び倣い板４７ａ・４７ｂが玉葱８の上面と適度な圧接関係を保つ。そして、切断刃５０・５０・・・により玉葱８の根を切断するが、この時、切断刃５０・５０・・・と玉葱８の間隔は、付勢ばね４３の付勢により離れることはなく確実に切断が行え、また倣い板４７ａ・４７ｂによって切断刃５０と根８１が位置する玉葱８の上面との間隔を決定して一定に保ち、近づきすぎることがないので、深く噛みこむことなくスムーズな切断が行えるのである。また、切断刃５０・５０・・・は切断駆動軸４５ａに対して外方に傾けて装着されているので、切断刃５０・５０・・・が玉葱８の上面に沿うようになり、玉葱８の頂部周辺の根８１が長く残ることを防止している。また、切断刃５０が玉葱８に接触する前に、ガイドローラ５１・５１の倣いによって、切断刃５０が玉葱８に対して略適正に位置決めされて、ついで切断刃５０が玉葱８の突出した部位（根８１）を切断するよう構成している。
【００３５】
また、根切断装置４は図９及び図１０に示すように構成することも可能である。即ち、前記ガイドローラ５１・５１及び倣い板４７ａ・４７ｂの代わりに、左右二対、計４つのガイドローラ７１ａ・７１ｂを配置している。この場合、左右のガイドローラ７１ａ・７１ａ及び左右のガイドローラ７１ｂ・７１ｂは切断部カバー４５に内の両側に回転自在に支持され、この４つのガイドローラ７１ａ・７１ｂが玉葱８の側部上面に当接するように配置する。また、前記切断部カバー４５の前部とブラケット４１の間には平行リンク６９・６９を介装し、４つのガイドローラ７１ａ・７１ｂが平行に昇降するように構成し、付勢ばね４３によってガイドローラ７１ａ・７１ｂが玉葱側に押圧するように付勢している。
【００３６】
そして、切断部カバー４５に回転板７０の回転軸（図示せず）を回転自在に軸支し、前記同様にモーターによって駆動可能とし、該回転軸の左右中央に回転板を固定し、該回転板の外周に切断刃５０・５０を固設する構成としている。このようにして、ガイドローラ７１ａ・７１ｂが玉葱８の上面を倣うように平行に昇降し、前記実施例では倣い板４７ａ・４７ｂによって根８１が押さえられるが、本実施例では根が押さえられることなく、切断刃５０・５０が回転されることによって所定の長さに根８１が切断されるのである。また、切断刃５０が玉葱８に接触する前に、ガイドローラ７１ａ・７１ｂの倣いによって、切断刃５０が玉葱８に対して略適正に位置決めされて、ついで切断刃５０が玉葱８の突出した部位（根８１）を切断するよう構成している。
【００３７】
また、根切断装置４は図１１に示すように、切断刃の取付部を複数、つまり、切断刃取付ディスク４６を玉葱８の中心から放射状に複数配置して、切断刃５０・５０・・・で玉葱８の周囲を切断する面積を大きくすることも可能である。このように構成することで、玉葱８が挟持ベルト３０・３０の間に傾いて挟持されて搬送されても、切断範囲が広いために、確実に根８１を切断することができるのである。なお、各切断駆動軸４５ａ・４５ａ・４５ａはユニバーサルジョイント等で連結し、それぞれは独立して揺動できるようにして、各倣い板４７ａ・４７ｂ・・・は玉葱８の表面上に当接するように構成する。
【００３８】
また、図８で示すように前記挟持ベルト３０・３０の前後方向で略中央位置の下方には茎切断装置６が配設されている。該茎切断装置６は、水平方向に回転する左右の切断刃６１ａ・６１ｂが対向配置されており、該切断刃６１ｂと切断刃６１ａは上下高さをずらせて、一方がわずかに高くなるように配置し、平面視においてその外周端部が重なるようにしている。また、切断刃６１ａ・６１ｂの外周は鋸状に構成して、それぞれ図示せぬモータ等から駆動力をえて水平方向に回転する。
【００３９】
このような構成において、前記挟持ベルト３０・３０上を搬送されてくる玉葱８は、前記反転機構２８により下方に茎８２を向けた状態で該茎切断装置６に送られる。そして２枚の切断刃６１ａ・６１ｂにより茎８２を切断するが、この時、切断刃６１ａ・６１ｂが前述の通り、その外周部に重複しろを持たせているので、軟らかい茎８２も、逃がすことなく確実に切断できるのである。
【００４０】
【発明の効果】
本発明は以上の如く構成したので、次のような効果を奏するものである。
玉葱の根を上方に向けて搬送する搬送経路の上方に配設する根切断装置であって、切断刃を有する切断ヘッドを支持アームを介して搬送装置上方に、上下方向に揺動可能に支持したので、搬送されてくる玉葱のサイズに大小の差があった場合にも、該切断ヘッドが上下回動し、玉葱の根を確実に切断できるようになり、玉葱のサイズに合わせた切断装置が不要となる。
【００４１】
また、前記揺動可能な切断ヘッドを下方に付勢するよう構成したので、搬送されてくる玉葱のサイズが大きかった場合に、該切断ヘッドが上方に押し上げられても、弾性体により下方に付勢されるので、玉葱の上面から離れてしまうことなく、玉葱のサイズが小さい場合には切断ヘッドが下降し、サイズが変化しても確実な切断が行えるようになった。
【００４２】
また、前記切断ヘッドの下方付勢力を調整可能とすることにより、玉葱の種類や収穫時期の異なる玉葱が搬送されてきても、その玉葱の硬さに合わせることができ、玉葱を傷付けることなく、切断ヘッドを玉葱に沿わせて切断作業を行なうことができる。また、切断ヘッドや他の部品を交換したりした場合でも、その重量変化に合わせて調節することができる。
【００４３】
また、玉葱の搬送経路に根切断装置を配設して玉葱の根を切断する玉葱調整機において、該根切断装置の切断刃の回転軸を玉葱の搬送方向と直交するように配設したので、搬送されてくる玉葱の外周に沿わせて切断刃を回転させることが可能となり、その沿わせる構成を簡単に構成できる。
【００４４】
また、前記切断刃は、前記回転軸に対して直交して固設した取付板の外周部の左右両側に配設したので、切断刃を分割して玉葱の外周形状に近い形とすることができ、非切断部分もなくし、搬送されてくる玉葱の形状によらず、左右の刃により確実に根を切断でき、切断刃を固定する取付板を簡単な構成とすることができた。
【００４５】
また、前記切断刃を、前記回転軸に対して外方に傾けて装着したので、左右の切断刃が玉葱の上面の傾斜に沿うようになり、均一に根を切断できるようになり、刃が深く噛みことなくスムーズな切断工程が行えるようになった。
【００４６】
また、前記切断刃の近傍に玉葱の外周面に沿う倣いを設けたので、倣いにより、切断刃と玉葱上面の間の距離が一定となり、近づきすぎて切断刃が深く噛み込むことを防止し、また、切断残しもなく、スムーズな切断作業が行えるようになった。
【００４７】
また、前記切断刃と倣いが、前記回転軸の外周上において交互に位置するよう配設したので、倣いによって切断されない部分ができることを防止でき、切断刃と倣いを同一の支持体に装着することが可能となり、切断部の構成をコンパクトに構成できて、軽量化も図ることができ、玉葱表面を傷めることもなくなる。
【００４８】
また、玉葱の搬送経路の玉葱の根の通過位置に切断ヘッドを配置し、玉葱の根を切断する根切断装置において、切断ヘッドの中央に切断刃を配置し、その両側に玉葱上の根の両側を転動するガイドローラを設けたので、搬送される玉葱の上面側部に乗って、玉葱の根の部分を確実に切断することができる。また、切断刃が玉葱に接触する前に、ガイドローラの倣いによって、切断刃が玉葱に対して略適正に位置決めされて、ついで切断刃が玉葱の突出した部位（根部）を切断することが可能となった。
【図面の簡単な説明】
【図１】  本発明の玉葱調整機の左側面図である。
【図２】  玉葱調整機の正面図である。
【図３】  玉葱調整機の平面図である。
【図４】  玉葱調整機の背面断面図である。
【図５】  根切断部の左側面拡大図である。
【図６】  根切断装置を後方から見た断面図である。
【図７】  根切断装置の主要部の左側面図である。
【図８】  茎切断部を後方から見た断面図である。
【図９】  根切断装置の別実施例側面図である。
【図１０】  根切断装置の別実施例正面図である。
【図１１】  根切断装置の別実施例正面図である。
【符号の説明】
２    搬送部
３    切断部
４    根切断装置
４ａ  切断ヘッド
６    茎切断装置
８    玉葱
５０  切断刃
８１  （玉葱の）根
８２  （玉葱の）茎
【図１】
0003909158.tif 000002
【図２】
0003909158.tif 000003
【図３】
0003909158.tif 000004
【図４】
0003909158.tif 000005
【図５】
0003909158.tif 000006
【図６】
0003909158.tif 000007
【図７】
0003909158.tif 000008
【図８】
0003909158.tif 000009
【図９】
0003909158.tif 000010
【図１０】
0003909158.tif 000011
【図１１】
0003909158.tif 000012